(57)【特許請求の範囲】
【請求項１】
外周に膨張抵抗リブが形成され、底面に挿入口が形成された中空の球体の弾性体からなる球体脚部と、
円盤状の底面部と、前記底面部の中心から垂設された心材部とを有し、前記心材部が前記球体脚部の底面の挿入口から挿入されて前記球体脚部に結合される弾性体からなる台部と、
前記球体脚部の上部に固定されたボルト部とを備え、
前記球体脚部の内部に密閉された密閉層を形成したことを特徴とする床支持脚。
【請求項２】
前記台部の心材部を前記球体脚部の底面の挿入口から挿入して前記台部を前記球体脚部に結合したとき、前記心材部の上部に間隙を設けたことを特徴とする請求項１に記載の床支持脚。
【請求項３】
前記台部の底面の上部を前記球体脚部の球面に合わせて球状凹面としたことを特徴とする請求項１又は２に記載の床支持脚。
【請求項４】
前記球体脚部と前記ボルト部との間に防振パッキンを介装したことを特徴とする請求項１乃至３の何れかに記載の床支持脚。
【請求項５】
前記台部及び前記球体脚部は、低反発ゴムから形成されることを特徴とする請求項１乃至４の何れかに記載の床支持脚。
【発明の詳細な説明】
【技術分野】
【０００１】
本発明は、床パネルをコンクリートスラブ上に支持する床支持脚に関する。
【背景技術】
【０００２】
フローリングをコンクリートスラブに直張りせずに、コンクリートスラブと床パネルとの間を床支持脚で支持して浮き床とした乾式二重床工法が知られている（例えば特許文献１）。このような工法では、床下に設備配管スペースができ、構造が簡単で、工期の短縮化が図れる。
【０００３】
このような従来の乾式二重床工法では、振動、遮音性能を保ちながら、しっかりとした歩行感も確保するために、図８に示されるように、床支持脚１０１として、ナット１０４の取り付けられたボルト脚１０２の最下部にクッションゴム脚１０３を配置する構造として、クッションゴム脚１０３で衝撃、振動を吸収し、下階に振動や騒音を伝えにくいようにしている。
【特許文献１】特開２００２−２１３０３号公報
【発明の開示】
【発明が解決しようとする課題】
【０００４】
ところが、実際の建築では、従来の床支持脚１０１では、十分な防振、遮音特性を得ることが難しく、騒音の問題が発生している。このことについて、以下に説明する。
【０００５】
特に日本の家屋では、壁際に家具類が置かれるため、床支持脚のみの工法では、境界部分で若干沈み込みが生じる。このため、隣家との境界部分には、図９に示されるように、床支持脚１０１と共に、際根太と呼ばれる部材１１１を設置し、フロアパネル１１２を支持している。ところが、この部材１１１が下階の住戸に音と振動を伝える原因になると考えられる。振動や騒音のメカニズムとしては、フロアパネル１１２を構成するパーティクルボード１１４や、コンクリートスラブ１１３が太鼓のように振動して、騒音が伝わることや、騒音が床支持脚１０１のクッションゴム脚１０３を伝わって下の階に伝わる等が考えられる。
【０００６】
また、乾式二重床工法による浮き床の構造では、フロアパネル１１２の部分からコンクリートスラブ１１３に至るまでの接点の数が増えれば、音や振動の影響が減少することが経験上知られている。図９に示した床支持脚１０１では、フロアパネル１１２からコンクリートスラブ１１３に至るまでの接点の数は、図８における接点Ｐ１０１〜Ｐ１０３の３箇所である。このため、十分な振動、騒音の抑制効果が働かない。
【０００７】
本発明は、上述の課題を鑑み、振動、騒音の抑制効果が高いと共に、十分な強度が得られ、しっかりとした歩行感が確保できる床支持脚を提供することを目的とする。
【課題を解決するための手段】
【０００８】
上述の課題を解決するために、本発明は、外周に膨張抵抗リブが形成され、底面に挿入口が形成された中空の球体の弾性体からなる球体脚部と、円盤状の底面部と、底面部の中心から垂設された心材部とを有し、心材部が球体脚部の底面の挿入口から挿入されて球体脚部に結合される弾性体からなる台部と、球体脚部の上部に固定されたボルト部とを備え、球体脚部の内部に密閉された密閉層を形成したことを特徴とする床支持脚である。
【０００９】
好ましくは、台部の心材部を球体脚部の底面の挿入口から挿入して台部を球体脚部に結合したとき、心材部の上部に間隙を設けたことを特徴とする。
【００１０】
好ましくは、台部の底面の上部を球体脚部の球面に合わせて球状凹面としたことを特徴とする。
【００１１】
好ましくは、球体脚部とボルト部との間に防振パッキンを介装したことを特徴とする。
【００１２】
好ましくは、台部及び球体脚部は、低反発ゴムから形成されることを特徴とする。
【発明の効果】
【００１３】
本発明によれば、外周に膨張抵抗リブが形成され、底面に挿入口が形成された中空の球体の弾性体からなる球体脚部と、円盤状の底面部と、底面部の中心から垂設された心材部とを有し、心材部が球体脚部の底面の挿入口から挿入されて球体脚部に結合される弾性体からなる台部と、球体脚部の上部に固定されたボルト部とを備え、球体脚部の内部に密閉された密閉層を形成しているので、低反発の弾性体によるダンパーと、密閉層によるダンパーにより、優れた遮音効果を発揮できると共に、十分な強度が得られ、しっかりとした歩行感が確保できる。また、圧縮加重がかかっているときにも、十分な遮音効果が得られる。
【００１４】
また、本発明では、台部の心材部を球体脚部の底面の挿入口から挿入して台部を球体脚部に結合したとき、心材部の上部に間隙を設けている。このため、加重が加わっていないときには、ボルト部と心材部とが離れ、球体脚部の低反発ゴムによる圧縮に対する抵抗と、密閉層による圧縮に対する抵抗となる。さらに加重が加わると、ボルト部と心材部が接触して心材部を押し下げ、台部及び球体脚部の低反発ゴムによる圧縮に対する抵抗と、密閉層による圧縮に対する抵抗との２段構えの抵抗が発生する。これにより、圧縮加重がかかっているときにも、十分な遮音効果が得られる。
【００１５】
また、本発明では、台部の底面の上部を球体脚部の球面に合わせて球状凹面としている。このため、台部と球体脚部との結合が密になり、空気の漏れが生じない。
【００１６】
また、本発明では、球体脚部とボルト部との間に防振パッキンを介装している。このため、球体脚部の内部の気密が保たれると共に、伝達方向への遮断物の数が増加し、遮音性が向上する。
【００１７】
また、本発明では、台部及び球体脚部は、例えば、硬度６７程度の低反発ゴムから形成されている。このため、振動、騒音を抑制できると共に、上から加重がかかったときに、沈み込むことが抑制され、しっかりとした歩行感が確保できる。
【発明を実施するための最良の形態】
【００１８】
以下、本発明の実施形態について図面を参照しながら説明する。図１は本発明の実施形態の床支持脚１の全体構成を示し、図２はその分解斜視図を示すものである。図１及び図２に示すように、本発明の実施形態の床支持脚１は、台部１１と、球体脚部１２と、ボルト部１３とから構成されている。
【００１９】
図２に示すように、台部１１は、ダンパー特性の優れた弾性体、例えば低反発ゴムから加工されており、円盤状の底面部２１と、底面部２１の中心から垂設された円柱状の心材部２２とを有している。底面部２１の底面部２１は、コンクリートスラブに安定して接するように、クッションリブ２５が設けられる。また、底面部２１の上面２３は、球体脚部１２の外形に対応して、凹球面状に加工されている。心材部２２の先端には、ネジ固定部２４が形成されている。心材部２２は、球体脚部１２の底面の挿入口３１からその内部に挿入される部分で、心材部２２の外径は球体脚部１２の底面の挿入口３１の内径に対応している。
【００２０】
球体脚部１２は、ダンパー特性の優れた弾性体、例えば低反発ゴムから加工されており、中空の球体の形状とされている。球体脚部１２の中心の外周には、水平方向に一周するように、膨張抵抗リブ３０が形成されている。球体脚部１２の底面には、挿入口３１が形成されている。また、球体脚部１２の上面には支持部３２が形成されており、支持部３２の中心に、ボルト挿入口３３が形成されている。
【００２１】
ボルト部１３は、外周が全体に渡って螺刻された金属製のロッドであり、ボルト部１３の所定位置には、止め金４１が固定的に結合されている。ボルト部１３の先端には、リブ４６が設けられている。ボルト部１３は、球体脚部１２のボルト挿入口３３から挿入されて固定される。このとき、止め金４１と支持部３２との間には、ゴム防振パッキン４２と、強化プラスティック防振パッキン４３とが介装される。
【００２２】
本発明の実施形態の床支持脚１は、台部１１の心材部２２を球体脚部１２の底面の挿入口３１から挿入して結合して構成される。また、ボルト部１３の先端が球体脚部１２のボルト挿入口３３から挿入され、止め金４１により、ボルト部１３が球体脚部１２の上部に固定される。
【００２３】
また、台部１１の底面部２１の上面２３は、球体脚部１２の外形の球面に合わせて球状の凹面に加工されているので、心材部２２を球体脚部１２の内部に挿入したときに、底面部２１の上面２３が球体脚部１２に密接する。また、ボルト部１３に固着された止め金４１と球体脚部１２の支持部３２との間には、ゴム防振パッキン４２と強化プラスティック防振パッキン４３とが介装されている。このため、球体脚部１２の内部の気密が保たれると共に、伝達方向への遮断物の数が増加し、遮音性が向上する。
【００２４】
図３は、本発明の実施形態の床支持脚１を用いて、コンクリートスラブ上に床パネルを支持したときの状態を示すものである。
【００２５】
図３において、５１はコンクリートスラブ、５２はフロアパネルである。フロアパネル５２は、例えば、パーティクルボード５３上に、フローリング５４を積層したものである。パーティクルボード５３には、高さ調整用の孔５５が形成される。
【００２６】
図３に示すように、床支持脚１のボルト部１３には、円筒状雌ねじと一体化されたナット６２が取り付けられる。床支持脚１のボルト部１３に取りつけられたナット６２がパーティクルボード５３にあけられた高さ調整用の孔５５にねじ込まれ、コンクリートスラブ５１上に床支持脚１が配置される。そして、ナット６２により高さ調整が行われる。これにより、コンクリートスラブ５１上に、床支持脚１により、フロアパネル５２が支持される。
【００２７】
本発明の実施形態の床支持脚１では、以下の理由により、振動や騒音の低減を図ることができる。
【００２８】
先ず、音は伝達方向に遮断物が多くあると減衰することが知られている。伝達方向に遮断物となるコンクリートスラブ５１からフロアパネル５２までの接点の数は、図２で接点Ｐ１〜Ｐ５で示すように、５箇所となる。一方、従来の支持脚では、コンクリートスラブからフロアパネルまでの接点の数は、図８に示したように、３箇所である。したがって、従来の支持脚に比べて、振動や騒音の低減が図れる。
【００２９】
また、本発明の実施形態では、球体脚部１２の内部は密閉された密閉層３５で構成される。この密閉層３５は空気層または変形シリコンが充填された変形シリコン充填層で構成され、この密閉層３５がダンパーとなり、優れた遮音効果を発揮する。このような密閉層３５によるダンパーを形成するためには、空気の逃げ道を遮断する必要がある。本発明の実施形態では、台部１１の底面部２１の上面２３は、凹球面状に加工されており、球体脚部１２と密接し、また、球体脚部１２と台部１１との接面が大きい。このことから、この部分からの圧縮による空気の漏れはない。また、止め金４１と支持部３２との間には、ゴム防振パッキン４２と、強化プラスティック防振パッキン４３とが介装されるため、空気漏れは生じない。また、球体脚部１２と台部１１が空気の圧縮では分離されないため、遮音を含め振動自体を吸収することが確認できる。
【００３０】
また、本発明の実施形態の床支持脚１では、圧縮加重がかかると、ボルト部１３を押し下げ、圧縮の力で球体脚部１２を潰す方向に作用する。本発明の実施形態の床支持脚１では、台部１１の心材部２２を球体脚部１２の底面の挿入口３１から挿入して台部１１を球体脚部１２に結合する。その後、ボルト部１３の先端のリブ４６が球体脚部１２の上部から挿入され、心材部２２の上面の孔２６を貫通して、心材部２２の先端との間に１ｍｍ程度の僅かな間隙Ｌが生じる。したがって、加重が小さいときには、ボルト部１３の先端のリブ４６が台部１１の心材部２２と離れており、このときには、圧縮加重に対して、球体脚部１２を潰すときの低反発ゴムによる抵抗と、密閉層３５による抵抗が生じる。
【００３１】
さらに圧縮加重が加わると、ボルト部１３が押し下げられ、球体脚部１２の内部で、ボルト部１３の先端のリブ４６が台部１１の心材部２２に接し、ボルト部１３は台部１１の心材部２２を押すことになる。このため、台部１１及び球体脚部１２の低反発ゴムによる圧縮に対する抵抗と、密閉層３５による圧縮に対する抵抗との２段構えの抵抗が発生する。これらの抵抗は、さらに、球体脚部１２の膨張抵抗リブ３０の低反発ゴムによる抵抗、クッションリブ２５の部分の圧縮に対する抵抗も含めて、騒音の減衰に寄与する。
【００３２】
また、本発明の実施形態では、台部１１と球体脚部１２とは、低反発ゴムから形成されている。このため、上から加重がかかったときに、沈み込むことが抑制され、しっかりとした歩行感が確保できる。また、球体脚部１２が球形であり、台部１１の底面が平面であり、加重に対して安定した形状となっている。
【００３３】
さらに、本発明の実施形態では、球体脚部１２の外周に膨張抵抗リブ３０が配置されている。このため、球体脚部１２の圧縮加重に対する抵抗が大きくなり、変形が起こりにくい。
【００３４】
以上のように、本発明の実施形態の床支持脚１では、優れた遮音効果を発揮できると共に、十分な強度が得られ、しっかりとした歩行感が確保できる。また、圧縮加重がかかっているときにも、十分な遮音効果が得られる。
【００３５】
図４は、重量床衝撃音遮音性能の測定方法を示す図である。図４に示すように、加振室２００では、衝撃源としてバングマシン２０１を用い、音源室床の対角線上の５点を加振した。受音室２０２では、普通騒音計２０３により、５点（床より高さ１．５ｍ）において、時間重み特性Ｆを用いた最大音圧レベル（中心周波数６３Ｈｚ〜４０００Ｈｚのオクターブバンド毎）を計測した。
【００３６】
図６は重量床衝撃音の測定結果を示す図である。図６において、横軸はオクターブバンド中心周波数を示し、縦軸はオクターブバンド音圧レベルを示す。図６において、黒丸が計測された重量床衝撃音遮音性能を示し、三角は暗騒音性能を示している。重量衝撃源では、Ｌ−４５が特級（遮音性能上特に優れている）、Ｌ−５０が１級（遮音性能上優れている）、Ｌ−５５が２級（遮音性能標準的である）、Ｌ−６０、６５が３級（遮音性能上やや劣る）である。
【００３７】
図６に示すように、本発明では、どの周波数のときにも、良好な遮音性能が得られている。特に、図６において、一番音が一番響く２５０Ｈｚ付近においても、４３ｄＢ程度の静かさ、すなわち、Ｌ−３５に近い特性が得られ、高い周波数のときは、さらに良好な遮音性能が得られている。
【００３８】
図５は、軽量床衝撃音遮音性能の測定方法を示す図である。図５に示すように、加振室２１０では、衝撃音としてタッピングマシン２１１を用い、音源室床の対角線上の５点を加振した。受音室２１２では、普通騒音計２１３により、５点（床より高さ１．５ｍ）において、１０秒間の等価音圧レベル（中心周波数６３Ｈｚ〜４０００Ｈｚのオクターブバンド毎）を計測した。
【００３９】
図７は軽量床衝撃音の測定結果を示す図である。図７において、横軸はオクターブバンド中心周波数を示し、縦軸はオクターブバンド音圧レベルを示す。図７において、黒丸が計測された重量床衝撃音遮音性能を示し、三角は暗騒音性能を示している。軽量衝撃源では、Ｌ−４０が特級（遮音性能上特に優れている）、Ｌ−４５が１級（遮音性能上優れている）、Ｌ−５０が２級（遮音性能標準的である）、Ｌ−６０が３級（遮音性能上やや劣る）である。
【００４０】
図７に示すように、本発明では、どの周波数のときにも、良好な遮音性能が得られている。特に、図７において、一番音が一番響く２５０Ｈｚ付近においても、４８ｄＢ程度の静かさ、すなわち、Ｌ−４０に近い特性が得られ、高い周波数のときは、さらに良好な遮音性能が得られている。
【００４１】
本発明は、上述した実施形態に限定されるものではなく、この発明の要旨を逸脱しない範囲内で様々な変形や応用が可能である。
【００４２】
例えば、前述の実施形態では、台部１１の心材部２２を円柱状としているが、台部１１の心材部２２を十字形の角柱としても良い。この場合、球体脚部１２の底面の挿入口３１も、これに対応して、十字形の角柱としている。このような構成とすると、台部１１が球体脚部１２に対して回転することがなくなり、ねじれ方向の力に強くなる。さらに、心材部２２は、これに限らず、楕円形や角柱としても良い。
【産業上の利用可能性】
【００４３】
本発明は、床パネルをコンクリートスラブ上に支持するような工法で用いる床支持脚として利用可能である。
【図面の簡単な説明】
【００４４】
【図１】本発明の実施形態の床支持脚の全体構成を示す斜視図である。
【図２】本発明の実施形態の床支持脚の全体構成を示す分解斜視図である。
【図３】本発明の実施形態の床支持脚を用いてコンクリートスラブ上に床パネルを支持したときの状態を示す断面図である。
【図４】本発明の重量床衝撃音遮音性能の測定方法を示す図である。
【図５】本発明の軽量床衝撃音遮音性能の測定方法を示す図である。
【図６】重量床衝撃音の測定結果を示す図である。
【図７】軽量床衝撃音の測定結果を示す図である。
【図８】従来の床支持脚の一例を示す図である。
【図９】従来の床支持脚を用いてコンクリートスラブ上に床パネルを支持したときの状態を示す断面図である。
【符号の説明】
【００４５】
１  床支持脚
１１  台部
１２  球体脚部
１３  ボルト部
２１  底面部
２２  心材部
２３  底面部の上面
２４  ネジ固定部
２５  クッションリブ
２６  孔
３０  膨張抵抗リブ
３１  挿入口
３２  支持部
３３  ボルト挿入口
３５  密閉層
４１  止め金
４２  ゴム防振パッキン
４３  強化プラスティック防振パッキン
４６  リブ
５１  コンクリートスラブ
５２  フロアパネル
５３  パーティクルボード
５４  フローリング
５５  高さ調整用孔
６２  ナット
Ｌ    間隙
【図１】
0004964078.tif 000002
【図３】
0004964078.tif 000003
【図８】
0004964078.tif 000004
【図９】
0004964078.tif 000005
【図２】
0004964078.tif 000006
【図４】
0004964078.tif 000007
【図５】
0004964078.tif 000008
【図６】
0004964078.tif 000009
【図７】
0004964078.tif 000010